(57)【要約】【課題】より簡単な操作により閏年設定を行うことができるようにする。【解決手段】ユーザは、現在年が閏年から何年目であるかを確認するとともに、現在曜日が何曜日であるかを確認し、スイッチＳ３の操作により歩進させた秒針が確認した「閏年」〜「閏年＋３年」のいずれかであって、確認した「日月火水木金土」に合致した時点で、スイッチＳ３の操作をやめる。これにより、秒針現在位置記憶部には、秒針現在位置データが記憶された状態となる。この状態で、ユーザがスイッチＳ２を操作すると、ステップＳ１０７の判断がＹＥＳとなる。したがって、秒針現在位置記憶部の前記秒針現在位置データから閏年データ及び曜日データを算出して、閏年記憶部と曜日記憶部に各々記憶する（ステップＳ１１０）。よって、単一の操作により曜日記憶部への曜日データの記憶と閏年記憶部２４４への閏年データの記憶とを行うことが可能となる。【選択図】図３
2009192280.tif 000002
【特許請求の範囲】
【請求項１】
曜日データを記憶する曜日記憶手段と、閏年データを記憶する閏年記憶手段とを備え、前記曜日記憶手段に記憶された曜日データに基づき現在曜日を表示し、前記閏年記憶手段に記憶された閏年データに基づき現在日を表示するアナログ電子時計であって、
閏年位置とこの閏年位置から３年間の各年位置に対応する４位置毎に、７曜を示す曜日位置が設けられた２８位置を有する目盛手段と、
この目盛手段における前記２８位置に移動可能な指針と、
前記２８位置において、前記曜日記憶手段に記憶された曜日データが示す曜日、及び前記閏年記憶手段に記憶された閏年データが示す閏年に対応する位置へ前記指針を移動させる第１の移動制御手段と、
前記指針を前記２８位置における所望の位置に移動させる第２の移動制御手段と、
この第２の移動制御手段の制御により移動された前記２８位置における前記指針の位置に基づいて、前記曜日記憶手段に曜日データを記憶させるとともに、前記閏年記憶手段に閏年データを記憶させる記憶制御手段と
を備えたことを特徴とするアナログ電子時計。
【請求項２】
西暦における少なくとも下２桁の年データを記憶する記憶手段を備え、この年記憶手段に記憶された年データに基づき現在日を表示するアナログ電子時計であって、
０秒から５９秒位置の６０位置を有し、この６０位置に西暦における下２桁の年が割り当てられた目盛手段と、
この目盛手段における前記６０位置に移動可能な指針と、
前記６０位置において、前記年記憶手段に記憶された年データ示す年に対応する位置へ前記指針を移動させる第１の移動制御手段と、
前記指針を前記６０位置における所望の位置に移動させる第２の移動制御手段と、
この第２の移動制御手段の制御により移動された前記６０位置における前記指針の位置に基づいて、前記年記憶手段に年データを記憶させる記憶制御手段と
を備えたことを特徴とするアナログ電子時計。
【請求項３】
前記指針は、秒針であることを特徴とする請求項１又は２記載のアナログ電子時計。
【請求項４】
前記目盛手段は、文字盤部であることを特徴とする請求項１、２又は３記載のアナログ電子時計。
【請求項５】
曜日データを記憶する曜日記憶手段と、閏年データを記憶する閏年記憶手段とを備え、前記曜日記憶手段に記憶された曜日データに基づき現在曜日を表示し、前記閏年記憶手段に記憶された閏年データに基づき現在日を表示するアナログ電子時計であって、閏年位置とこの閏年位置から３年間の各年位置に対応する４位置毎に、７曜を示す曜日位置が設けられた２８位置を有する目盛手段と、この目盛手段における前記２８位置に移動可能な指針とを備えるアナログ電子時計が有するコンピュータを、
前記２８位置において、前記曜日記憶手段に記憶された曜日データが示す曜日、及び前記閏年記憶手段に記憶された閏年データが示す閏年に対応する位置へ前記指針を移動させる第１の移動制御手段と、
前記指針を前記２８位置における所望の位置に移動させる第２の移動制御手段と、
この第２の移動制御手段の制御により移動された前記２８位置における前記指針の位置に基づいて、前記曜日記憶手段に曜日データを記憶させるとともに、前記閏年記憶手段に閏年データを記憶させる記憶制御手段と
して機能させることを特徴とするアナログ電子時計制御プログラム。
【請求項６】
西暦における少なくとも下２桁の年データを記憶する記憶手段を備え、この年記憶手段に記憶された年データに基づき現在日を表示するアナログ電子時計であって、０秒から５９秒位置の６０位置を有し、この６０位置に西暦における下２桁の年が割り当てられた目盛手段と、この目盛手段における前記６０位置に移動可能な指針とを備えたアナログ電子時計が有するコンピュータを、
前記６０位置において、前記年記憶手段に記憶された年データ示す年に対応する位置へ前記指針を移動させる第１の移動制御手段と、
前記指針を前記６０位置における所望の位置に移動させる第２の移動制御手段と、
この第２の移動制御手段の制御により移動された前記６０位置における前記指針の位置に基づいて、前記年記憶手段に年データを記憶させる記憶制御手段と
して機能させることを特徴とするアナログ電子時計制御プログラム。
【請求項７】
曜日データを記憶する曜日記憶手段と、閏年データを記憶する閏年記憶手段とを備え、前記曜日記憶手段に記憶された曜日データに基づき現在曜日を表示し、前記閏年記憶手段に記憶された閏年データに基づき現在日を表示するアナログ電子時計であって、閏年位置とこの閏年位置から３年間の各年位置に対応する４位置毎に、７曜を示す曜日位置が設けられた２８位置を有する目盛手段と、この目盛手段における前記２８位置に移動可能な指針とを備えたアナログ電子時計の制御方法において、
前記２８位置において、前記曜日記憶手段に記憶された曜日データが示す曜日、及び前記閏年記憶手段に記憶された閏年データが示す閏年に対応する位置へ前記指針を移動させる第１の移動制御ステップと、
前記指針を前記２８位置における所望の位置に移動させる第２の移動制御ステップと、
この第２の移動制御ステップにより移動された前記２８位置における前記指針の位置に基づいて、前記曜日記憶手段に曜日データを記憶させるとともに、前記閏年記憶手段に閏年データを記憶させる記憶制御ステップと
を含むことを特徴とするアナログ電子時計制御方法。
【請求項８】
西暦における少なくとも下２桁の年データを記憶する記憶手段を備え、この年記憶手段に記憶された年データに基づき現在日を表示するアナログ電子時計であって、０秒から５９秒位置の６０位置を有し、この６０位置に西暦における下２桁の年が割り当てられた目盛手段と、この目盛手段における前記６０位置に移動可能な指針とを備えたアナログ電子時計の制御方法において、
前記６０位置において、前記年記憶手段に記憶された年データ示す年に対応する位置へ前記指針を移動させる第１の移動制御ステップと、
前記指針を前記６０位置における所望の位置に移動させる第２の移動制御ステップと、
この第２の移動制御ステップにより移動された前記６０位置における前記指針の位置に基づいて、前記年記憶手段に年データを記憶させる記憶制御ステップと
を含むことを特徴とするアナログ電子時計制御方法。
【発明の詳細な説明】
【技術分野】
【０００１】
本発明は、表示針等のアナログ表示部を回転駆動するアナログ電子時計、及びこれに用いられるアナログ電子時計制御プログラム、アナログ電子時計制御方法に関する。
【背景技術】
【０００２】
一般に、現在日を表示する機能を備えたアナログ電子時計にあっては、閏ではない年と閏である年における２月末から３月初日における現在日を正確に表示させるために、時刻設定時において、閏年設定を行う必要がある。この閏年設定は、閏年が現在年から何年目であるかを示す閏年データ、又は現在年の西暦を示す西暦データを設定して記憶させることにより行う。
【０００３】
前者の場合現在時刻設定に際しては、先ず閏年セットモードを設定して、秒針を移動させて、閏年が現在年である１年目（１）、２年目（２）、３年目（３）、４年目（４）のいずれかを選択する。引き続き、月セットモードを設定して月を現在月にセットし、日セットモードを設定して日を現在日にセットし、時刻セットモードを設定して、現在時、分、秒をセットする（例えば、特許文献１参照）。
【特許文献１】特開平５−６０８８１号公報
【発明の開示】
【発明が解決しようとする課題】
【０００４】
このように従来においては、閏年、月、日、時分秒を個別のセットモードで個別に設定するようにしていことから、設定時におけるユーザの操作が非効率的で煩雑となる。また、曜日表示機能を有する場合には、さらに曜日セットモードを設定して曜日を現在曜日にセットすることとなり、さらに操作が煩雑となる。
【０００５】
また、前記現在年の西暦を示す西暦データを設定するタイプのアナログ電子時計の場合には、年の千の桁のセットモード、年の百の桁のセットモード、年の十の桁のセットモード、年の一の桁のセットモードを各々設定して、値の入力操作を行わねばならないことから、ユーザは一層非効率的で煩雑な操作を強いられることとなる。
【０００６】
本発明は、かかる従来の課題に鑑みてなされたものであり、より効率的で簡単な操作により、日を正確に表示するための年設定を行うことのできるアナログ電子時計、アナログ電子時計制御プログラム及びアナログ電子時計制御方法を提供することを目的とする。
【課題を解決するための手段】
【０００７】
前記課題を解決するため請求項１記載の発明に係るアナログ電子時計にあっては、曜日データを記憶する曜日記憶手段と、閏年データを記憶する閏年記憶手段とを備え、前記曜日記憶手段に記憶された曜日データに基づき現在曜日を表示し、前記閏年記憶手段に記憶された閏年データに基づき現在日を表示するアナログ電子時計であって、閏年位置とこの閏年位置から３年間の各年位置に対応する４位置毎に、７曜を示す曜日位置が設けられた２８位置を有する目盛手段と、この目盛手段における前記２８位置に移動可能な指針と、前記２８位置において、前記曜日記憶手段に記憶された曜日データが示す曜日、及び前記閏年記憶手段に記憶された閏年データが示す閏年に対応する位置へ前記指針を移動させる第１の移動制御手段と、前記指針を前記２８位置における所望の位置に移動させる第２の移動制御手段と、この第２の移動制御手段の制御により移動された前記２８位置における前記指針の位置に基づいて、前記曜日記憶手段に曜日データを記憶させるとともに、前記閏年記憶手段に閏年データを記憶させる記憶制御手段とを備えたことを特徴とする。
【０００８】
また、請求項２記載の発明に係るアナログ電子時計にあっては、西暦における少なくとも下２桁の年データを記憶する記憶手段を備え、この年記憶手段に記憶された年データに基づき現在日を表示するアナログ電子時計であって、０秒から５９秒位置の６０位置を有し、この６０位置に西暦における下２桁の年が割り当てられた目盛手段と、この目盛手段における前記６０位置に移動可能な指針と、前記６０位置において、前記年記憶手段に記憶された年データ示す年に対応する位置へ前記指針を移動させる第１の移動制御手段と、前記指針を前記６０位置における所望の位置に移動させる第２の移動制御手段と、この第２の移動制御手段の制御により移動された前記６０位置における前記指針の位置に基づいて、前記年記憶手段に年データを記憶させる記憶制御手段とを備えたことを特徴とする。
【０００９】
また、請求項３記載の発明に係るアナログ電子時計にあっては、前記指針は、秒針であることを特徴とする。
【００１０】
また、請求項４記載の発明に係るアナログ電子時計にあっては、前記目盛手段は、文字盤部であることを特徴とする。
【００１１】
また、請求項５記載の発明に係るアナログ電子時計制御プログラムにあっては、曜日データを記憶する曜日記憶手段と、閏年データを記憶する閏年記憶手段とを備え、前記曜日記憶手段に記憶された曜日データに基づき現在曜日を表示し、前記閏年記憶手段に記憶された閏年データに基づき現在日を表示するアナログ電子時計であって、閏年位置とこの閏年位置から３年間の各年位置に対応する４位置毎に、７曜を示す曜日位置が設けられた２８位置を有する目盛手段と、この目盛手段における前記２８位置に移動可能な指針とを備えるアナログ電子時計が有するコンピュータを、前記２８位置において、前記曜日記憶手段に記憶された曜日データが示す曜日、及び前記閏年記憶手段に記憶された閏年データが示す閏年に対応する位置へ前記指針を移動させる第１の移動制御手段と、前記指針を前記２８位置における所望の位置に移動させる第２の移動制御手段と、この第２の移動制御手段の制御により移動された前記２８位置における前記指針の位置に基づいて、前記曜日記憶手段に曜日データを記憶させるとともに、前記閏年記憶手段に閏年データを記憶させる記憶制御手段として機能させることを特徴とする。
【００１２】
また、請求項６記載の発明に係るアナログ電子時計制御プログラムにあっては、西暦における少なくとも下２桁の年データを記憶する記憶手段を備え、この年記憶手段に記憶された年データに基づき現在日を表示するアナログ電子時計であって、０秒から５９秒位置の６０位置を有し、この６０位置に西暦における下２桁の年が割り当てられた目盛手段と、この目盛手段における前記６０位置に移動可能な指針とを備えたアナログ電子時計が有するコンピュータを、前記６０位置において、前記年記憶手段に記憶された年データ示す年に対応する位置へ前記指針を移動させる第１の移動制御手段と、前記指針を前記６０位置における所望の位置に移動させる第２の移動制御手段と、この第２の移動制御手段の制御により移動された前記６０位置における前記指針の位置に基づいて、前記年記憶手段に年データを記憶させる記憶制御手段として機能させることを特徴とする。
【００１３】
また、請求項７記載の発明に係るアナログ電子時計制御方法にあっては、曜日データを記憶する曜日記憶手段と、閏年データを記憶する閏年記憶手段とを備え、前記曜日記憶手段に記憶された曜日データに基づき現在曜日を表示し、前記閏年記憶手段に記憶された閏年データに基づき現在日を表示するアナログ電子時計であって、閏年位置とこの閏年位置から３年間の各年位置に対応する４位置毎に、７曜を示す曜日位置が設けられた２８位置を有する目盛手段と、この目盛手段における前記２８位置に移動可能な指針とを備えたアナログ電子時計の制御方法において、前記２８位置において、前記曜日記憶手段に記憶された曜日データが示す曜日、及び前記閏年記憶手段に記憶された閏年データが示す閏年に対応する位置へ前記指針を移動させる第１の移動制御ステップと、前記指針を前記２８位置における所望の位置に移動させる第２の移動制御ステップと、この第２の移動制御ステップにより移動された前記２８位置における前記指針の位置に基づいて、前記曜日記憶手段に曜日データを記憶させるとともに、前記閏年記憶手段に閏年データを記憶させる記憶制御ステップとを含むことを特徴とする。
【００１４】
また、請求項８記載の発明に係るアナログ電子時計制御方法にあっては、西暦における少なくとも下２桁の年データを記憶する記憶手段を備え、この年記憶手段に記憶された年データに基づき現在日を表示するアナログ電子時計であって、０秒から５９秒位置の６０位置を有し、この６０位置に西暦における下２桁の年が割り当てられた目盛手段と、この目盛手段における前記６０位置に移動可能な指針とを備えたアナログ電子時計の制御方法において、前記６０位置において、前記年記憶手段に記憶された年データ示す年に対応する位置へ前記指針を移動させる第１の移動制御ステップと、前記指針を前記６０位置における所望の位置に移動させる第２の移動制御ステップと、この第２の移動制御ステップにより移動された前記６０位置における前記指針の位置に基づいて、前記年記憶手段に年データを記憶させる記憶制御ステップとを含むことを特徴とする。
【発明の効果】
【００１５】
本発明によれば、より効率的で簡単な操作により、日を正確に表示するための年設定を行うことが可能となる。
【発明を実施するための最良の形態】
【００１６】
以下、本発明の一実施の形態を図に従って説明する。
(第１の実施の形態)
図１は、本発明の第１の実施の形態にかかるアナログ電子時計１０の外観を示す平面図である。このアナログ電子時計１０は、時計ケース１１を有し、この時計ケース１１の周部にはスイッチＳ１〜Ｓ４が設けられている。また、時計ケース１１の上面であって、図示しない風防ガラスの下面には、第１文字盤部１２、第２文字盤部１３及び第３文字盤部１４が同心円状かつ一体的に設けられている。第１文字盤部１２は、円形であってその表面周部には、時分秒位置が印刷等により表記されている。また、第１文字盤部１２の一部には窓１５が開設され、この窓１５から日車１６に印刷された現在日が露呈するように構成されている。
【００１７】
前記第２文字盤部１３は円環状であってその表面には、第１文字盤部１２の０秒から０〜６秒、１５〜２１秒、３０〜３６秒、４５〜５１秒の位置に各々対応して「日月火水木金土」の文字列からなる曜日位置１７が印刷等により表記されている。第３文字盤部１４には、０秒の位置に現在年が閏年である場合のセット位置「閏年」の文字が表記され、１５秒の位置に閏年から１年目である「閏年＋１年」の文字が表記され、３０秒の位置に閏年から２年目である「閏年＋２年」の文字が表記され、４５秒の位置に閏年から３年目である「閏年＋３年」の文字が表記されている。
【００１８】
一方、前記第１文字盤部１２の中心部には、時針１８、分針１９、秒針２０が回転自在に支持されている。
【００１９】
なお、本実施の形態においては、「閏年」「閏年＋１年」「閏年＋２年」「閏年＋３年」の文字を表記するようにしたが、これらを表記することなく取扱説明書において、０秒の位置が現在年が閏年である場合のセット位置（「閏年」）であり、１５秒の位置が閏年から１年目である「閏年＋１年」、３０秒の位置が閏年から２年目である「閏年＋２年」、４５秒の位置が閏年から３年目である「閏年＋３年」の位置であることを記載するようにしてもよい。
【００２０】
図２は、本実施の形態にかかるアナログ電子時計１０の回路構成を示すブロック図である。このアナログ電子時計１０は、ＣＰＵ２１を備え、このＣＰＵ２１には、スイッチ部２２、ＲＯＭ２３、ＲＡＭ２４、モータ駆動回路２５〜２８が接続されている。スイッチ部２２は、前記スイッチＳ１〜Ｓ４で構成されている。ＲＯＭ２３には、後述するフローチャートにより示すプログラム等が格納されており、ＣＰＵ２１はこのプログラムに従って、ＲＡＭ２４の一部をワークエリアとして使用しつつ、各部を制御する。
【００２１】
ＲＡＭ２４には、時記憶部２４１、秒記憶部２４２、日記憶部２４３、閏年記憶部２４４、分記憶部２４５、月記憶部２４６及び曜日記憶部２４７が設けられている。時記憶部２４１は、０〜２３の値によりＣＰＵ２１により計時されている現在時（０〜２３時）を格納し、秒記憶部２４２は０〜５９の値により現在秒（０〜５９秒）を格納し、日記憶部２４３は０〜３０の値により現在日（１〜３１日）を格納する。また、閏年記憶部２４４は、現在年が閏年であることを示す「０」、閏年から１年目であることを示す「１」、閏年から２年目であることを示す「２」、閏年から３年目であることを示す「３」のいずれかの値からなる閏年データを格納する。
【００２２】
分記憶部２４５は０〜５９の値によりＣＰＵ２１により計時されている現在分（０〜５９）を格納し、月記憶部２４６は０〜１１の値により現在月（１〜１２月）を格納し、曜日記憶部２４７は、０から６の値により現在曜日（日〜土曜日）を示す曜日データ格納する。
【００２３】
なお、以上の記憶部２４１〜２４７に格納されるデータは、前述のようにＣＰＵ２１の計時によるデータに基づき順次書き換えて行くことになるが、後述するカレンダーセットモードが設定された際には、書き換えることなくその時点でのデータを維持する。
【００２４】
また、ＲＡＭ２４には、時針移動位置記憶部２４８、分針移動位置記憶部２４９、秒針移動位置記憶部２５０及び日車移動位置記憶部２５１が設けられている。時針移動位置記憶部２４８には、前記時記憶部２４１に格納されている現在時と前記分記憶部２４５に格納されている現在分とに基づきＣＰＵ２１が演算した時針１８の回転角度が０〜５９の値で格納される。分針移動位置記憶部２４９には、前記分記憶部２４５に格納されている現在分に基づきＣＰＵ２１が演算した分針１９の回転角度が０〜５９の値で格納され、秒針移動位置記憶部２５０には、前記秒記憶部２４２に格納されている現在秒に基づきＣＰＵ２１が演算した秒針２０の回転角度が０〜５９の値で格納される。また、日車移動位置記憶部２５１には、前記日記憶部２４３に格納されている現在日に基づきＣＰＵ２１が演算した日車１６の回転角度が０〜３０の値で格納される。
【００２５】
さらに、ＲＡＭ２４には、時針現在位置記憶部２５２、分針現在位置記憶部２５３、秒針現在位置記憶部２５４及び日車現在位置記憶部２５５が設けられている。時針現在位置記憶部２５２には前記時針１８の現在回転位置が０〜５９の値で格納され、分針現在位置記憶部２５３には前記分針１９の現在回転位置が０〜５９の値で格納され、秒針現在位置記憶部２５４には前記秒針２０の現在回転位置が０〜５９の値で格納される。また、日車現在位置記憶部２５５には、前記日車１６の現在回転位置が０〜３０の値で格納される。
【００２６】
他方、前記モータ駆動回路２５〜２８は、各々ステップモータ２９〜３２を各々介して、前記時針１８を回転駆動する時針駆動機構３３、分針１９を回転駆動する分針駆動機構３４、前記秒針２０を回転駆動する秒針駆動機構３５、及び前記日車１６を回転駆動する日車駆動機構３６に接続されている。時針駆動機構３３、分針駆動機構３４及び秒針駆動機構３５は、対応するステップモータ２９、３０、３１がモータ駆動回路２５、２６、２７により１ステップ駆動される毎に、各指針１８、１９、２０を３６０／６０°（６°）回転させる。また、日車駆動機構３６は、対応するステップモータ３２がモータ駆動回路２８により１ステップ駆動される毎に、日車１６を３６０／３１°回転させる。
【００２７】
以上の構成係る本実施の形態において、前記記憶部２４１〜２４７のデータは、ＣＰＵ２１による計時に伴って順次更新され、この更新されるデータに基づき各移動位置記憶部２４８〜２５１のデータが書き換えられ、この書き換えられた各移動位置記憶部２４８〜２５１のデータに従ってモータ駆動回路２５〜２８が制御されて、「各移動位置記憶部２４８〜２５１＝各現在位置記憶部２５２〜２５５」を維持するように制御されることにより、日車１６、時針１８、分針１９、秒針２０により、現在日、時、分、秒が示されていく。また、閏年記憶部２４４に記憶されている閏年データに基づき、２月において日車１６により「２９」を表示させるか、「２９」を表示させることなく「１」を表示させるかの制御が行われることとなる。
【００２８】
また、スイッチＳ４を操作すると、ＣＰＵ２１はモータ駆動回路２７を制御して、秒針２０を曜日位置１７における曜日記憶部２４７に記憶されている曜日位置に強制回転させる。したがって、このアナログ電子時計１０においては、秒針２０が表日表示兼用指針となり、スイッチＳ４の操作により、現在曜日を表示することもできる。
【００２９】
そして、ユーザがカレンダーセットモードを設定すべくスイッチＳ１を操作すると、ＣＰＵ２１は前記プログラムに基づき、図３に示すフローチャートに従って処理を実行する。すなわち、モータ駆動回路２７を制御して秒針２０を０秒の位置へ早送りする（ステップＳ１０１）。また、秒針現在位置記憶部２５４に「０」をセットする（ステップＳ１０２）。
【００３０】
このとき、前述のようにカレンダーセットモードが設定された際には、各記憶部２４１〜２４７のデータは、書き換えることなくスイッチＳ１操作時点でのデータを維持している。そして、ＣＰＵ２１は、閏年記憶部２４４から前記閏年データを読み出すとともに、曜日記憶部２４７から前記曜日データを読み出す。そして、これら読み出した閏年、曜日データから秒針の回転位置を示す秒針位置データを算出して秒針移動位置記憶部２５０に記憶させる（ステップＳ１０３）。
【００３１】
次に、このステップＳ１０３で秒針移動位置記憶部２５０に記憶させた秒針移動位置データと、秒針現在位置記憶部２５４に記憶されている秒針現在位置データとが一致するか否かを判断する（ステップＳ１０４）。この判断がＮＯであって、「秒針移動位置データ≠秒針現在位置データ」である場合には、秒針２０を１ステップ（１目盛）移動させるとともに（ステップＳ１０５）、これに伴って秒針現在位置記憶部２５４に記憶されている秒針現在位置データに「１」を加算する。
【００３２】
したがって、ステップＳ１０４の判断がＮＯであった場合であっても、ステップＳ１０４〜Ｓ１０６のループが繰り返されることにより、「秒針移動位置データ＝秒針現在位置データ」となって、ステップＳ１０４の判断がＹＥＳとなる。そして、ステップＳ１０４の判断がＹＥＳとなると、秒針２０は現時点で閏年記憶部２４４に記憶されている閏年データに対応する位置であって、曜日記憶部２４７に記憶されている曜日データに対応する位置にて停止する。
【００３３】
よって、例えば閏年記憶部２４４に「閏年」であることを示す「０」が記憶され、曜日記憶部２４７に「日曜日」であることを示す「０」が記憶されていたとすると、秒針２０は図１に示すように、「閏年」に対応しかつ曜日位置１７における「日」に対応する０秒位置に強制駆動されることとなる。
【００３４】
また、ステップＳ１０４の判断がＹＥＳとなったならば、スイッチＳ２が操作されたか否かを判断する（ステップＳ１０７）。スイッチＳ３が操作されない場合には、スイッチＳ３が操作されたか否かを判断する（ステップＳ１０８）。そして、スイッチＳ３が操作された場合には、秒針移動位置記憶部２５０の秒針移動位置データを次の位置のデータに変更する（ステップＳ１０９）。
【００３５】
このようにステップＳ１０９で、秒針移動位置記憶部２５０の秒針移動位置データが変更されると、秒針現在位置記憶部２５４に記憶されている秒針現在位置データとの関係は、必然的に「秒針移動位置データ≠秒針現在位置データ」となる。したがって、ステップＳ１０９からステップＳ１０４に戻った際には、このステップＳ１０４の判断も必ずＮＯとなり、前述したステップＳ１０５及びステップＳ１０６の処理が行われることとなる。よって、秒針２０は１ステップ（１目盛）移動する（ステップＳ１０５）。
【００３６】
また、ステップＳ１０６で秒針現在位置データ＋１されることから、このステップＳ１０６からステップＳ１０４に戻った際には、ステップＳ１０４の判断はＹＥＳとなる。したがって、再びステップＳ１０４からステップＳ１０７に進むことになるが、このときユーザがスイッチＳ２を操作することなく、スイッチＳ３操作すると、前述したステップＳ１０９の処理が実行される。
【００３７】
したがって、ユーザがスイッチＳ２を操作することなくスイッチＳ３を操作すると、秒針２０は最初にステップＳ１０４がＹＥＳとなった位置から、スイッチＳ３の操作毎に１ステップ（１目盛）ずつ移動していく。したがって、スイッチＳ３を操作することにより、秒針２０を歩進させて、任意の位置に回転移動させることができる。
【００３８】
そして、ユーザが現在年が閏年から何年目であるかを確認するとともに、現在曜日が何曜日であるかを確認し、スイッチＳ３の操作により歩進させた秒針２０が確認した「閏年」〜「閏年＋３年」のいずれかであって、確認した「日月火水木金土」に合致した時点で、スイッチＳ３の操作をやめる。これにより、秒針２０は当該位置にて停止するとともに、秒針現在位置記憶部２５４には、秒針２０が停止している現在位置を示す秒針現在位置データが記憶された状態となる。
【００３９】
この状態で、ユーザがスイッチＳ２を操作すると、ステップＳ１０７の判断がＹＥＳとなる。したがって、ステップＳ１０７からステップＳ１１０に進み、秒針現在位置記憶部２５４の前記秒針現在位置データから閏年データ及び曜日データを算出して、閏年記憶部２４４と曜日記憶部２４７に各々記憶する（ステップＳ１１０）。
【００４０】
したがって、本実施の形態によれば、単一の操作により曜日記憶部２４７への曜日データの記憶と閏年記憶部２４４への閏年データの記憶とを行うことが可能となる。換言すれば、曜日記憶部２４７への曜日データの記憶操作を兼用して、閏年記憶部２４４への閏年データの記憶を行うことができる。よって、より効率的で簡単な操作により閏年設定を行うことが可能となる。
【００４１】
しかも、アナログ電子時計１０に必須の構成部材である秒針２０や文字盤部１２〜１４を用いて閏年設定を行うことができることから、コストを要することなく、より効率的で簡単な操作により閏年設定を行うことが可能となる。
【００４２】
そして、ステップＳ１１０に続くステップＳ１１１及びステップＳ１１２等において、月データのセット処理や日付データのセット処理等を実行し、これにより、ユーザにより設定された月データや日データを月記憶部２４６や日記憶部２４３等に記憶されることとなる。
【００４３】
(第２の実施の形態)
図４は、本発明の第２の実施の形態にかかるアナログ電子時計１００の外観を示す平面図である。このアナログ電子時計１００にあっては、第２文字盤部１３と第３文字盤部１４の表記事項のみが、前述の図１に示した第１の実施の形態に係るアナログ電子時計１００と同様である。したがって、同一部分に同一符号を付して説明は省略する。
【００４４】
すなわち、このアナログ電子時計１００の第２文字盤部１３には、第１文字盤部１２の０秒から５秒に対応する位置毎に０、１、２、３、４、５の文字が表記され、５５秒から５９秒の位置毎に５５、５６、５７、５８、５９の文字が表記されている。
【００４５】
なお、第２文字盤部１３の全周に亙って、第１文字盤部１２の０秒から５９秒に対応する位置毎に０〜５９の文字を表記するようにしてもよい。
【００４６】
また、第３文字盤部１４には、０秒の位置に「２０００年」の文字が表記され、１５秒の位置に「２０１５年」の文字が表記され、３０秒の位置に「２０３０年」の文字が表記され、４５秒の位置に「２０４５年」の文字が表記されている。
【００４７】
なお、本実施の形態においては、「２０００年」「２０１５年」「２０３０年」「２０４５年」の文字を表記するようにしたが、これらを表記することなく取扱説明書において、０秒の位置が「２０００年」、１５秒の位置が「２０１５年」、３０秒の位置が「２０３０年」、４５秒の位置が「２０４５年」の位置であることを記載するようにしてもよい。
【００４８】
図５は、本実施の形態に係るアナログ電子時計１００におけるＲＡＭ４４の構成を示す模式図である。このＲＡＭ４４には、時記憶部４４１、秒記憶部４４２、日記憶部４４３、分記憶部４４５、月記憶部４４６及び年記憶部４４７が設けられている。時記憶部４４１は、０〜２３の値によりＣＰＵ２１により計時されている現在時（０〜２３時）を格納し、秒記憶部４４２は０〜５９の値により現在秒（０〜５９秒）を格納し、日記憶部４４３は０〜３０の値により現在日（１〜３１日）を格納する。
【００４９】
分記憶部４４５は０〜５９の値によりＣＰＵ２１により計時されている現在分（０〜５９）を格納し、月記憶部４４６は０〜１１の値により現在月（１〜１２月）を格納し、年記憶部４４７は、２０００〜２０５９の値により現在年（２０００〜２０５９年）を示す年データ格納する。
【００５０】
なお、以上の記憶部４４１〜４４７に格納されるデータは、前述のようにＣＰＵ２１の計時によるデータに基づき順次書き換えて行くことになるが、後述するカレンダーセットモードが設定された際には、書き換えることなくその時点でのデータを維持する。
【００５１】
また、時針移動位置記憶部４４８〜日車現在位置記憶部４５５に記憶されるデータは、前述した第１の実施の形態における時針移動位置記憶部２４８〜日車現在位置記憶部２５５と同一である。また、このＲＡＭ４４を除く他の構成も第２図に示した第１の実施の形態と同様であるので、説明を省略する。
【００５２】
以上の構成係る本実施の形態において、前記記憶部４４１〜４４７のデータは、ＣＰＵ２１による計時に伴って順次更新され、この更新されるデータに基づき各移動位置記憶部４４８〜４５１のデータが書き換えられ、この書き換えられた各移動位置記憶部４４８〜４５１のデータに従ってモータ駆動回路２５〜２８が制御されて、「各移動位置記憶部４４８〜４５１＝各現在位置記憶部４５２〜４５５」を維持するように制御されることにより、日車１６、時針１８、分針１９、秒針２０により、現在日、時、分、秒が示されていく。また、年記憶部４４７に記憶されている年データに基づき、閏年か否かが判断され２月において日車１６により「２９」を表示させるか、「２９」を表示させることなく「１」を表示させるかの制御が行われることとなる。
【００５３】
そして、ユーザがカレンダーセットモードを設定すべくスイッチＳ１を操作すると、ＣＰＵ２１は前記プログラムに基づき、図６に示すフローチャートに従って処理を実行する。すなわち、モータ駆動回路２７を制御して秒針２０を０秒の位置へ早送りする（ステップＳ２０１）。また、秒針現在位置記憶部４５４に「０」をセットする（ステップＳ２０２）。
【００５４】
このとき、前述のようにカレンダーセットモードが設定された際には、各記憶部４４１〜４４７のデータは、書き換えることなくスイッチＳ２操作時点でのデータを維持している。そして、ＣＰＵ２１は、年記憶部４４７から前記年データを読み出し、この年データにおける下２桁のデータを秒針移動位置記憶部４５０に記憶させる（ステップＳ２０３）。
【００５５】
次に、このステップＳ２０３で秒針移動位置記憶部４５０に記憶させた秒針移動位置データと、秒針現在位置記憶部４５４に記憶されている秒針現在位置データとが一致するか否かを判断する（ステップＳ２０４）。この判断がＮＯであって、「秒針移動位置データ≠秒針現在位置データ」である場合には、秒針２０を１ステップ（１目盛）移動させるとともに（ステップＳ２０５）、これに伴って秒針現在位置記憶部４５４に記憶されている秒針現在位置データに「１」を加算する。
【００５６】
したがって、ステップＳ２０４の判断がＮＯであった場合であっても、ステップＳ２０４〜Ｓ２０６のループが繰り返されることにより、「秒針移動位置データ＝秒針現在位置データ」となって、ステップＳ２０４の判断がＹＥＳとなる。そして、ステップＳ２０４の判断がＹＥＳとなると、秒針２０は現時点で年記憶部４４７に記憶されている年データの下２桁の数値に対応する位置であって、年記憶部４４７に記憶されている年データに対応する位置にて停止する。
【００５７】
よって、例えば年記憶部４４７に「２０００」が記憶されていたとすると、秒針２０は図１に示すように、０秒位置に強制駆動されることとなる。
【００５８】
また、ステップＳ２０４の判断がＹＥＳとなったならば、スイッチＳ２が操作されたか否かを判断する（ステップＳ２０７）。スイッチＳ３が操作されない場合には、スイッチＳ３が操作されたか否かを判断する（ステップＳ２０８）。そして、スイッチＳ３が操作された場合には、秒針移動位置記憶部４５０の秒針移動位置データを＋１する（ステップＳ２０９）。
【００５９】
このようにステップＳ２０９で、秒針移動位置記憶部４５０の秒針移動位置データが＋１されると、秒針現在位置記憶部４５４に記憶されている秒針現在位置データとの関係は、必然的に「秒針移動位置データ≠秒針現在位置データ」となる。したがって、ステップＳ２０９からステップＳ２０４に戻った際には、このステップＳ２０４の判断も必ずＮＯとなり、前述したステップＳ２０５及びステップＳ２０６の処理が行われることとなる。よって、秒針２０は１ステップ（１目盛）移動する（ステップＳ２０５）。
【００６０】
また、ステップＳ２０６で秒針現在位置データ＋１されることから、このステップＳ２０６からステップＳ２０４に戻った際には、ステップＳ２０４の判断はＹＥＳとなる。したがって、再びステップＳ２０４からステップＳ２０７に進むことになるが、このときユーザがスイッチＳ２を操作することなく、スイッチＳ３操作すると、前述したステップＳ２０９の処理が実行される。
【００６１】
したがって、ユーザがスイッチＳ２を操作することなくスイッチＳ３を操作すると、秒針２０は最初にステップＳ２０４がＹＥＳとなった位置から、スイッチＳ３の操作毎に１ステップ（１目盛）ずつ移動していく。したがって、スイッチＳ３を操作することにより、秒針２０を歩進させて、任意の位置に回転移動させることができる。
【００６２】
そして、ユーザが現在年が西暦何年であるかを確認し、スイッチＳ３の操作により歩進させた秒針２０が確認した西暦の下２桁に合致した時点で、スイッチＳ３の操作をやめる。これにより、秒針２０は当該位置にて停止するとともに、秒針現在位置記憶部４５４には、秒針２０が停止している現在位置を示す秒針現在位置データ（２桁のデータ）が記憶された状態となる。
【００６３】
この状態で、ユーザがスイッチＳ２を操作すると、ステップＳ２０７の判断がＹＥＳとなる。したがって、ステップＳ２０７からステップＳ２１０に進み、秒針現在位置記憶部４５４の前記秒針現在位置データを年記憶部４４７の下２桁に上書きして記憶する（ステップＳ２１０）。
【００６４】
したがって、本実施の形態によれば、単一の操作により年記憶部４４７に４桁からなる年データを記憶させることができる。よって、年の千の桁のセットモード、年の百の桁のセットモード、年の十の桁のセットモード、年の一の桁のセットモードを各々設定して、値の入力操作を行う従来と比較して、より効率的で簡単な操作により年設定を行うことが可能となる。
【００６５】
そして、ステップＳ２１０に続くステップＳ２１１及びステップＳ２１２等において、月データのセット処理や日付データのセット処理等を実行し、これにより、ユーザにより設定された月データや日データを月記憶部４４６や日記憶部４４３等に記憶されることとなる。
【００６６】
なお、本実施の形態においては、年記憶部４４７に４桁からなる年データを記憶させるようにしたことから、ステップＳ２０３で年記憶部４４７の４桁のデータにおける下２桁のデータを秒針移動位置記憶部４５０に記憶させ、ステップＳ２１０で秒針現在位置記憶部４５４のデータを年記憶部４４７の下２桁に上書きして記憶するようにした。しかし、年記憶部４４７に４桁からなる西暦のうち下２桁を記憶させるようにしてもよい。このようにすれば、ステップＳ２０３で年記憶部４４７のデータをそのまま秒針移動位置記憶部４５０に記憶させ、ステップＳ２１０で秒針現在位置記憶部４５４のデータをそのまま年記憶部４４７に記憶させればよいことになる。これにより、処理の簡単化を図ることができる。
【図面の簡単な説明】
【００６７】
【図１】本発明の第１の実施の形態に係るアナログ電子時計の外観を示す平面図である。
【図２】同実施の形態に係るアナログ電子時計のブロック回路図である。
【図３】同実施の形態における処理手順を示すフローチャートである。
【図４】本発明の第２の実施の形態に係るアナログ電子時計の外観を示す平面図である。
【図５】同実施の形態におけるＲＡＭの構成を示す模式図である。
【図６】同実施の形態における処理手順を示すフローチャートである。
【符号の説明】
【００６８】
１０    アナログ電子時計
１６    日車
１７    曜日位置
１８    時針
１９    分針
２０    秒針
２１    ＣＰＵ
２２    スイッチ部
２３    ＲＯＭ
２４    ＲＡＭ
２５〜２８    モータ駆動回路
２９〜３２    ステップモータ
３３    時針駆動機構
３４    分針駆動機構
３５    秒針駆動機構
３６    日車駆動機構
４４    ＲＡＭ
１００    アナログ電子時計
２４１    時記憶部
２４２    秒記憶部
２４３    日記憶部
２４４    閏年記憶部
２４５    分記憶部
２４６    月記憶部
２４７    曜日記憶部
２４８    時針移動位置記憶部
２４９    分針移動位置記憶部
２５０    秒針移動位置記憶部
２５１    日車移動位置記憶部
２５２    時針現在位置記憶部
２５３    分針現在位置記憶部
２５４    秒針現在位置記憶部
２５５    日車現在位置記憶部
４４１    時記憶部
４４２    秒記憶部
４４３    日記憶部
４４５    分記憶部
４４６    月記憶部
４４７    年記憶部
【図１】
2009192280.tif 000003
【図２】
2009192280.tif 000004
【図３】
2009192280.tif 000005
【図４】
2009192280.tif 000006
【図５】
2009192280.tif 000007
【図６】
2009192280.tif 000008